Podtech/llm-jp-corpus-v4-ja_patent huggingface dataset:
(57)【要約】      （修正有）【課題】取引内容を１行にまとめ、継続記入により、月間・年間の長期的視点での利益管理と発送管理をすることができるフリマ手帳を提供する。【解決手段】取引内容月別明細では、日付・商品名・取引先名・販売価格・原価・手数料・送料・利益・利益月間累計・発送方法・発送日・空欄の項目を１行に設けた。さらに、年間収支一覧表には、月・販売価格・原価・手数料・送料・利益・利益累計・月間目標利益・目標差の項目を１行に設け、月別に記入することで、その時点での利益累計がわかり、年間合計もできるようにした。【選択図】図１
0003221972.tif 000002
【実用新案登録請求の範囲】
【請求項１】
フリーマーケットでの各取引記録を月別に１行に記入する取引内容月別明細と、その集計した月間数値を転記する年間収支一覧表を設けたフリマ手帳。
【請求項２】
請求項１に記載のフリマ手帳に於いて、取引内容月別明細は最上部に年名と月名を記入し、１件毎に横１行に記入する書式であり、その１行の項目は、日付・商品名・取引先名・販売価格・原価・手数料・送料・利益・利益月間累計・発送方法・発送日であり、それらの項目は罫線により区切られており、複数の取引内容が記入できるように複数の行から構成され、ページの最終行に上記項目のページ合計数値又は月間数値を記入できるようにしているフリマ手帳。
【請求項３】
請求項１の記載のフリマ手帳に於いて、年間収支一覧表は、最上部に年名を記入し、月毎に、請求項２の記載のフリマ手帳の取引内容月別明細で計算した月間数値を横１行に転記する書式であり、その１行の項目は、販売価格・原価・手数料・送料・利益・利益累計・月間目標利益・目標差であり、それらの項目は罫線により区切られており、複数月分の数値が記入できるように複数の行から構成され、ページ最終行に上記項目の合計数値を記入し、年間数値として収支を一覧できるようにしているフリマ手帳。
【考案の詳細な説明】
【技術分野】
【０００１】      本考案は、取引内容月別明細と年間収支一覧表を設けたフリマ手帳に関するものである。
【背景技術】
【０００２】      これまで、メルカリなどのフリーマーケットアプリに於いて、１件毎の取引記録は閲覧できるが、過去の取引・進行中の取引の詳細が一度に見られるリストがなかった。市場でも、月間や年間の長期視点での収支や累計利益を記入できる帳面も存在していない。【０００３】      そのため、フリーマーケットアプリに於いては、１件毎の取引の収支記録が別々に閲覧できることに終わり、月間や年間の長期的視点での収支管理、利益管理、分析などができない、という欠点があった。発送に関しても、配送の種類の選択肢が多いので、どの発送方法を選んだのか、発送前か発送済みかが一目瞭然でなく、取引件数が多くなると混乱を招くこともあった。
【考案の概要】
【考案が解決しようとする課題】
【０００４】      本考案は、以上のような従来の欠点に鑑み、フリーマーケット出品者が、月間・年間の長期的視点での利益管理と発送管理ができるフリマ手帳を提供する事を目的としている。
【課題を解決するための手段】
【０００５】      本考案は、取引を月別に記入、その取引内容は１行にまとめる書式を採用している。したがって、各項目に記入するだけで各取引の発送の進捗状態と利益累計を計算できるようにし、欠落していた長期的視点での管理を可能にしている。
【考案の効果】
【０００６】      さらに、年間収支一覧表に月別数値を記入することで年間での利益管理や、目標利益・目標差を可視化できるようにした。
【図面の簡単な説明】
【０００７】
【図１】本考案フリマ手帳の大部分を構成する取引内容月別明細である。
【図２】本考案フリマ手帳の年間収支一覧表である。
【図１】
0003221972.tif 000003
【図２】
0003221972.tif 000004
【手続補正書】
【提出日】平成31年4月9日(2019.4.9)
【手続補正１】
【補正対象書類名】実用新案登録請求の範囲
【補正対象項目名】全文
【補正方法】変更
【補正の内容】
【実用新案登録請求の範囲】
【請求項１】
最上部に年名と月名を記入し、１件毎に横１行に記入する書式であり、その１行の項目は、日付・商品名・取引先名・販売価格・原価・手数料・送料・利益・利益月間累計・発送方法・発送日であり、それらの項目は罫線により区切られており、複数の取引内容が記入できるように複数の行から構成され、ページの最終行に上記項目のページ合計数値又は月間数値を記入できる取引内容月別明細を設けたフリマ手帳。
【請求項２】
請求項１の記載のフリマ手帳に於いて、最上部に年名を記入し、月毎に前期取引内容月別明細で計算した月間数値を横１行に転記する書式であり、その１行の項目は、販売価格・原価・手数料・送料・利益・利益累計・月間目標利益・目標差であり、それらの項目は罫線により区切られており、複数月分の数値が記入できるように複数の行から構成され、ページ最終行に上記項目の合計数値を記入し、年間数値として収支を一覧できる年間収支一覧表を設けた請求項１記載のフリマ手帳。
【請求項３】
前期取引内容月別明細と、前記年間収支一覧表を設けた、請求項２のフリマ手帳。
(57)【要約】      （修正有）【課題】杖はまっすぐ立っている時、杖で歩く時、杖を前方や後方につく時、長さが足りない時、ちょうど良い長さの杖の提供。【解決手段】パイプ１の中にコイルバネ２とパイプの中より外に出た部分を有する可動部を設け、コイルバネの端部側をパイプとパイプの中より外に出た部分を有する可動部に固着した。【選択図】図２
0003221979.tif 000002
【実用新案登録請求の範囲】
【請求項１】
パイプの中にコイルバネとパイプの中より外に出た部分を有する可動部を設け、コイルバネの端部側をパイプとパイプの中より外に出た部分を有する可動部に固着した杖。
【考案の詳細な説明】
【技術分野】
【０００１】  本考案は、杖に関するものである。
【背景技術】
【０００２】  従来、バネを設けた杖はなかった。
【考案の開示】
【考案が解決しようとする課題】
【０００３】  従来は次のような欠点があった。
杖はまっすぐ立っている時はちょうど良い長さであるが、杖で歩く時、杖を前方や後方につく時、長さが足りず不便であった。
本考案は、上記の欠点を除くためになされたものである。
【課題を解決するための手段】
【０００４】  パイプの中にコイルバネとパイプの中より外に出た部分を有する可動部を設け、コイルバネの端部側をパイプとパイプの中より外に出た部分を有する可動部に固着した。
本考案は、以上のような構成により問題点を解決している。
【考案の効果】
【０００５】  まっすぐ立って、まっすぐ杖をつく時は手で下に押すことでコイルバネが縮んで丁度良い長さになり、まっすぐ杖をつける。
歩行中、前方や後方に杖をつく時はコイルバネが伸びているので、前方や後方につく時丁度良い長さになって杖をつける。
歩行中、まっすぐ立っている状態から体が前進して杖が後方になった時、コイルバネが押し上げるので、歩行を補助する。
【考案を実施するための最良の形態】
【０００６】  以下、本考案の実施例について説明する。
パイプ１の中にコイルバネ２とパイプの中より外に出た部分を有する可動部３を設け、コイルバネ２の端部側をパイプ１とパイプの中より外に出た部分を有する可動部３に固着したものから構成される。
実施例ではパイプ１に取手部４を設ける。
実施例ではパイプの中より外に出た部分を有する可動部３のパイプの中より外に出た部分の端部側に接地部５を設ける。
パイプ１は杖本体である。
コイルバネ２はバネである。
コイルバネ２はパイプ１の中に設ける。
実施例ではパイプの中より外に出た部分を有する可動部３もパイプとし、コイルバネ２はパイプ１とパイプの中より外に出た部分を有する可動部３の中に設けられている。
コイルバネ２の端部側は取手部側のパイプとパイプの中より外に出た部分を有する可動部に固着される。
実施例ではパイプの中より外に出た部分を有する可動部３もパイプとしているが、円柱の棒とした時、コイルバネ２はパイプ１の中でパイプの中より外に出た部分を有する可動部３のパイプの中の部分と固着される。
パイプの中より外に出た部分を有する可動部３は押されるとコイルバネ２が縮んでパイプの中より外に出た部分もパイプ１の中に入る。
実施例では取手部側固着部６からパイプの中より外に出た部分を有する可動部の固着部７までをコイルバネ２としてコイルバネ自体で支えているが、取手部側にスペーサーを入れたり、パイプの中より外に出た部分を有する可動部３のパイプの中の部分を長くすることでコイルバネ２を短くしても良い。
取手部４はパイプ１に設ける。
接地部５はパイプの中より外に出た部分を有する可動部３のパイプの中より外に出た部分の端部側に設ける。
接地部５は地面９に接する部分である。
形状、位置、素材をいろいろにすることにより、多種多様にすることができる。
【図面の簡単な説明】
【０００７】
【図１】本考案の側面図である。
【図２】本考案の側面の断面図である。
【図３】本考案の杖が縮んだ時の側面の断面図である。
【図４】本考案の歩行中、前方に杖をついている側面図である。
【図５】本考案のまっすぐ杖をついている側面図である。
【図６】本考案の歩行中、後方に杖をついている側面図である。
【００００】  各図の各部において主要部以外は省略している。
各図の各部において波線以外の部分は省略している。
【符号の説明】
【０００８】１    パイプ
２    コイルバネ
３    パイプの中より外に出た部分を有する可動部
４    取手部
５    接地部
６    取手部側固着部
７    パイプの中より外に出た部分を有する可動部の固着部
８    人
９    地面
【図１】
0003221979.tif 000003
【図２】
0003221979.tif 000004
【図３】
0003221979.tif 000005
【図４】
0003221979.tif 000006
【図５】
0003221979.tif 000007
【図６】
0003221979.tif 000008
(57)【要約】      （修正有）【課題】金属骨組みのビニルハウス、建物小屋の屋根の骨組みを形成し、屋根の積雪荷重に耐える、簡易な構造かつ強度のある屋根用角形鋼材を提供する。【解決手段】平坦な上面２と、上面２の左に垂下する平らな左側面３と、上面２の右に垂下する平らな右側面４と、左側面３及び右側面４の底部に連設する底面５とから形成される内部中空の屋根用角形鋼材１であって、底面５は、底面５の長手方向中央で内部中空側に湾曲状に窪む凹部５ａと、凹部５ａの左側に位置する左平坦部５ｂと、凹部５ａの右側に位置する右平坦部５ｃとからなる。【選択図】図１
0003221978.tif 000002
【実用新案登録請求の範囲】
【請求項１】
平坦な上面と、前記上面の左に垂下する平らな左側面と、前記上面の右に垂下する平らな右側面と、前記左側面及び右側面の底部に連設する底面とから形成される内部中空の屋根用角形鋼材であって、
前記底面は、前記底面の長手方向中央で前記内部中空側に湾曲状に窪む凹部と、前記凹部の左側に位置する左平坦部と、前記凹部の右側に位置する右平坦部とからなることを特徴とする屋根用角形鋼材。
【請求項２】
さらに、前記上面に固定される底板と、前記底板に起立し、前記上面に直行する横方向に渡される棒を固定するボルトを通す穴を穿設した縦板とからなる断面Ｌ型の固定部材を備えることを特徴とする請求項１に記載の屋根用角形鋼材。
【考案の詳細な説明】
【技術分野】
【０００１】
本考案は、主に、金属骨組みのビニルハウス、建物小屋の屋根の骨組みを形成し、屋根の積雪荷重に耐える、簡易な構造かつ強度のある屋根用角形鋼材に関する。
【背景技術】
【０００２】
従来の積雪荷重対策用の鋼材として特許文献１に示すようなビニルハウス用パイプがある。特許文献１のビニルハウス用パイプは、図２に示すように、ビニルハウスの上部から雪の荷重が加わった時にも、雪の荷重に充分に耐えて、ビニルハウスの倒壊を防ぐことのできるビニルハウス用パイプであって、
角部が曲面で形成された角形パイプであって、４つの側面を有し、地面に水平に設置した時に上下にある２つの側面の各々の中央に、内側方向に曲面で形成された溝（曲面溝２）と、地面に水平に設置した時に左右にある２つの側面の各々に、中央が内側方向に湾曲するように形成された傾斜面３と、を備え、上部に荷重が加わったときに、まず上部に形成された曲面溝２がこの荷重に反発し、より高い荷重が加わったときには、内部で発生する反発力が傾斜面３に作用することにより、ビニルハウス用パイプが荷重に耐える力を増大させることができるというものである。
【０００３】
しかしながら、成形が煩雑で、また、上側に渡す棒の設置について考慮されておらず、単に溶接した場合、接点が２箇所に限定され、固定箇所の強度が弱く、十分でなかった。
【先行技術文献】
【特許文献】
【０００４】
【特許文献１】特開２００９−２１３３５５号公報
【考案の概要】
【考案が解決しようとする課題】
【０００５】
そこで、本考案は、金属骨組みのビニルハウス、建物小屋の屋根の骨組みを形成し、屋根の積雪荷重に耐える、簡易な構造かつ強度のある屋根用角形鋼材を提供する。
【課題を解決するための手段】
【０００６】
本考案は、上記の課題を解決するために、
（１）
平坦な上面と、前記上面の左に垂下する平らな左側面と、前記上面の右に垂下する平らな右側面と、前記左側面及び右側面の底部に連設する底面とから形成される内部中空の屋根用角形鋼材であって、
前記底面は、前記底面の長手方向中央で前記内部中空側に湾曲状に窪む凹部と、前記凹部の左側に位置する左平坦部と、前記凹部の右側に位置する右平坦部とからなることを特徴とする屋根用角形鋼材。
（２）
さらに、前記上面に固定される底板と、前記底板に起立し、前記上面に直行する横方向に渡される棒を固定するボルトを通す穴を穿設した縦板とからなる断面Ｌ型の固定部材を備えることを特徴とする請求項１に記載の屋根用角形鋼材。
の構成とした。
【考案の効果】
【０００７】
本考案は上記構成であるので、屋根の積雪荷重に耐える、屋根用角形鋼材を提供することができる。
【図面の簡単な説明】
【０００８】
【図１】本考案である屋根用角形鋼材の使用時の斜視模式図である。複数の骨組みを立設し、上面に直行する横方向に棒（図示省略）を渡し、ビニルシート（図示省略）などを張る。
【図２】特許文献１のビニルハウス用パイプの説明図である。
【考案を実施するための形態】
【０００９】
以下、添付の図面を参照し、本考案の実施の形態の一例について詳細に説明する。なお、本考案は下記実施例に限定されるものではない。
【実施例１】
【００１０】
図１に、本考案の屋根用角形鋼材１を、屋根材として用いた、ビニルハウスの骨組１０みの１組みを示した。骨組み１０は、左右の縦棒８、８ａに接続された湾曲状の左右の屋根用角形鋼材１、１ａと、さらに、上面２に固定部材７を備えてなる。左右の屋根用角形鋼材１、１ａは同じ形状で左右の向きが異なるだけである。したがって、代表して、屋根用角形鋼材１について説明する。
【００１１】
なお、左右の屋根用角形鋼材１，１ａは、中央に梁を配置してそれに、ボルトナットなどで連結しても、溶接で連結してもよい。また、一体成形してもよい。
【００１２】
屋根用鋼材１は、内部中空６の角形であって、平坦な上面２と、上面２の左に垂下する平らな左側面３と、上面２の右に垂下する平らな右側面４と、左側面３及び右側面４の底部に連設する底面５とからなる。
【００１３】
底面５は、底面５の長手方向中央で内部中空６側に湾曲状に窪む凹部５ａと、凹部５ａの左側に位置する左平坦部５ｂと、凹部５ａの右側に位置する右平坦部５ｃとからなる。
【００１４】
固定部材７は、上面２に固定される底板７ａと、底板７ａに起立し、上面２に直行する横方向に渡される棒（図示省略）を固定するボルト（図示省略）を通す穴７ｃを穿設した縦板７ｂとからなる断面Ｌ型である。
【００１５】
縦棒８、８ａも、屋根用角形鋼材１と同様に、内部中空の角材鋼材の一側面に凹部８ｂを備え、直線状にして採用してもよい。
【００１６】
本考案は、上記構成であるので、従来に比べ極めて成形が簡易で、また、上面２が平坦で、固定部材７の底板７ａが平坦であるので、固定が容易で、例えば、溶接であれば、固定し易く、固定強度も高くなり、簡易な構造で、積雪荷重に耐える屋根用角形鋼材を提供できる。
【符号の説明】
【００１７】
１    屋根用角形鋼材
１ａ  屋根用角形鋼材
２    上面
３    左側面
４    右側面
５    底面
５ａ  凹部
５ｂ  左平坦部
５ｃ  右平坦部
６    中空
７    固定部材
７ａ  底板
７ｂ  縦板
７ｃ  穴
８    縦棒
８ａ  縦棒
８ｂ  凹部
１０  骨組み
【図１】
0003221978.tif 000003
【図２】
0003221978.tif 000004
(57)【要約】      （修正有）【課題】植木鉢などの土の中の水分を深さ別に計測して、乾いている深さに応じて点灯する照明が変わる深さ別水やり目安計を提供する。【解決手段】下部の複数の水分計１と上部の複数の照明２で構成した。【選択図】図１
0003221971.tif 000002
【実用新案登録請求の範囲】
【請求項１】
複数の水分計（１）と複数の照明（２）で、構成された深さ別水やり目安計。
【考案の詳細な説明】
【技術分野】
【０００１】  本考案は、複数の水分計と複数の照明を組み合わせて、土の中の水分を乾いている深さによって点灯する照明が変わる事によって、深さ別に示す事ができるようにした深さ別水やり目安計に関するものである。
【背景技術】
【０００２】  従来、水やりのタイミングを音声で伝える物は提案されていた。
【先行技術文献】
【特許文献】
【０００３】
【特許文献１】実登３０４９８２０
【非特許文献】
【考案の概要】
【考案が解決しようとする課題】
【０００４】  これには、次のような欠点があった。
音声では確実に水やりが必要であることを伝えられるが、義務である感覚にしてしまいかねない。また水分を計る深さを変えられるが、これでは例えば挿している地点が浅い地点だったら、乾いているのが浅い地点だから少し水やりをすればいいのか、全体的に乾いていてたくさん水やりをするべきなのかが分からない。
本考案は、以上のような欠点をなくすために、なされたものである。
【課題を解決するための手段】
【０００５】  複数の水分計（１）と複数の照明（２）を組み合わせる。
本考案は、以上の構成よりなる深さ別水やり目安計である。
【考案の効果】
【０００６】  それぞれの土の深さで水分が分かるため、例えば植木鉢の表面だけ乾いていることが、照明で表示されているから少しだけ水やりをしようとしたり、深い所まで乾いていると別の照明で表示されているから、たくさん水やりをしようとしたりと今までよりも的確な水やりを行う事ができる。
いずれかの深さで乾いているとその深さに応じた照明が点灯するため、水やりを忘れにくくする事ができる。
音などで水やりが必要である事を知らせるのは、水やりが義務である感覚にしてしまいかねないが、照明が点灯するだけであればそういった感覚にせずにすむ。
【図面の簡単な説明】
【０００７】
【図１】  本考案の斜視図である。
【考案を実施するための形態】
【０００８】  以下、本考案を実施するための形態について説明する。
複数の水分計（１）と複数の照明（２）を組み合わせる。
本考案は、以上のような構造である。
本考案を使用するときは、電池を入れて深さ別水やり目安計を植木鉢などの土の中に挿しこむ。
他の実施例を説明する。
深さ別水やり目安計に太陽光発電パネルをつけて、電池不要としてもよい。
【符号の説明】
【０００９】  １  水分計
２  照明
【図１】
0003221971.tif 000003
【手続補正書】
【提出日】平成31年4月4日(2019.4.4)
【手続補正１】
【補正対象書類名】実用新案登録請求の範囲
【補正対象項目名】全文
【補正方法】変更
【補正の内容】
【実用新案登録請求の範囲】
【請求項１】
下部の複数の水分計（１）と上部の複数の照明（２）で、構成された深さ別水やり目安計。
(57)【要約】      （修正有）【課題】花びらの開閉により、光の強弱を得ることで幻想的な演出ができる照明器具を提供する。【解決手段】花をモチーフにした、樹脂やガラスでできた花びらが花のように、モーターで開閉することで、その内部に設置されたＬＥＤランプの光が弱まったり輝いたりする幻想的な演出ができる。【選択図】図１
0003221958.tif 000002
【実用新案登録請求の範囲】
【請求項１】
花をモチーフに、花びらが開閉することが特徴とする、動きのある照明器具。
花びらの開閉することで、光が弱まったり、輝いたりする幻想的な演出ができる。
【請求項２】
花びらは大きさにより電磁石、モーターなどの動力で開閉し、クリスマスツリーなどのイルミネーション、フロア照明、シーリング照明、壁付け照明、テーブルスタンド照明などに展開する。
【考案の詳細な説明】
【技術分野】
【０００１】本発明は花びらの開閉により、光の強弱を得ることで幻想的な演出ができる照明器具である。
【背景技術】
【０００２】点滅する照明器具などがクリスマスイルミネーションなどで使われているがなんか安っぽいし、家庭向きではない。【０００３】照明器具に動きがなく、キャンドルの揺らぎなどでムードがあった昔の照明に比べ無機的。
【考案の概要】
【考案が解決しようとする課題】まるで息をしているように光が弱まったり強まったりする花の照明器具を提供することで落ち着いた大人のインテリアを演出する。
【課題を解決するための手段】花びらがを磁石、モーターなどの動力で開閉させ、花内部に内蔵した光源の強弱を得る。
【考案の効果】まるで花の息づきを感じるような光のゆっくりとした強弱により幻想的な照明器具を提供できる。
【図面の簡単な説明】
【図１】開閉する花びらの照明
【図２】開閉する花びらのイルミネーション
【図１】
0003221958.tif 000003
【図２】
0003221958.tif 000004
【手続補正書】
【提出日】平成31年1月24日(2019.1.24)
【手続補正１】
【補正対象書類名】実用新案登録請求の範囲
【補正対象項目名】全文
【補正方法】変更
【補正の内容】
【実用新案登録請求の範囲】
【請求項１】
花をモチーフにした、樹脂やガラスでできた花びらが花のように、
モーターで開閉することで、その内部に設置されたＬＥＤランプの光が弱まったり輝いたりする幻想的な演出ができることが特徴の照明器具。
【請求項２】
クリスマスツリーやクリスマスリースのイルミネーション、フロア照明、シーリング照明、壁付け照明、テーブルスタンド照明として請求項１の特徴を展開した照明器具。
【手続補正書】
【提出日】平成31年4月9日(2019.4.9)
【手続補正１】
【補正対象書類名】実用新案登録請求の範囲
【補正対象項目名】全文
【補正方法】変更
【補正の内容】
【実用新案登録請求の範囲】
【請求項１】
開閉可能な花びらと花の内部に内蔵した光源を有する花の形状をした照明器具であって、前記花びらの部分が開閉することで、前記光源の光が弱まったり輝いたりして幻想的な演出ができることを特徴とする動きのある照明器具。
【請求項２】
クリスマスツリーなどのイルミネーション、フロア照明、シーリング照明、壁付け照明またはテーブルスタンド照明のいずれかであって前記花びらは大きさにより電磁石またはモーターの動力で開閉することを特徴とする請求項１記載の照明器具。
(57)【要約】      （修正有）【課題】心身症や老人性認知症患者の非薬物的療法として使用する無患子（むくろじ）カウンターを提供する。【解決手段】無患子（むくろじ）８の堅牢な黒い種子６を特製の万力で固定し一文字ラインを起点にドリルで貫通孔２．５〜３ｍ／ｍを設ける。貫通させた種子６を２ｍｍの太さの鋼線又はステンレス線５に通し、木製の支持台に固定する。【選択図】図２
0003221967.tif 000002
【実用新案登録請求の範囲】
【請求項１】
無患子（むくろじ）種子の利用を特徴とする非薬物的療法に使用する無患子（むくろじ）カウンター器具。
【考案の詳細な説明】
【技術分野】
【０００１】本考案は，高齢者施設等で音楽療法の一環として使用する無患子（むくろじ）カウンターに関するものである。
【背景技術】
【０００２】音楽療法として高齢者施設等で実施されているのは、受動的音楽療法（音楽鑑賞）・能動的音楽療法（歌う・楽器演奏）・集団音楽療法・個人音楽療法等があり、施設現場で使用する楽器としてシンバル・トライアングル・ドラム・マラカス・リストベル等のリズム楽器がある。【０００３】心身症や老人性認知症の患者が上記楽器を使って演奏するだけで予防・改善の効果があることが「非薬物的療法」として文献レビューで紹介されている。【０００４】上記楽器類の成型用原材料として大半は金属・非鉄金属等が使用され、植物系の天然素材を使用することは少ない。
【非特許文献】
【０００５】
【非特許文献１】「楽器演奏・音楽療法の認知症予防効果に関する文献レビュー」２０１８年９月１４日  赤澤堅造（大阪工業大学）、奥野竜平（摂南大学）
【考案の概要】
【考案が解決しようとする課題】
【０００６】音楽療法は、健康法ないし代替医療として、音楽を聴いたり、楽器を演奏したりする際の生理的・心理的・社会的な効果を応用して、心身の健康の回復・向上を図ることで心身症・老人性認知症の予防や治療の「非薬物的療法」として効果が期待されているが、使用する楽器の成型用原材料に植物系天然素材の使用は限定されている。【０００７】本考案は、以上のような従来の課題に、地域に点在するムクロジ科の落葉高木の無患子（むくろじ）から落ちた堅牢・木質・黒色・艶・滑らか・触り心地の良い種子を使用した無患子（むくろじ）カウンター器具を提供する事を目的にしている。【０００８】高齢化社会のあるべき姿として、１９５１年に市民の健康に関わる条約第１号として公布された世界保健機関（ＷＨＯ）憲章前文で「健康とは、病気ではないか、弱っていないということではなく、肉体的にも、精神的にも、そして社会的にも、すべてが満たされた状態にあることをいう（日本  ＷＨＯ）」と謳われている。【０００９】政府の高齢者施策に対する世論調査で介護・福祉サービス・医療サービス等に対する市民の要望が７０％近くになっている。
【課題を解決するための手段】
【００１０】上記課題を解決するために、本考案は、ムクロジ科の落葉高木無患子（むくろじ）の果皮のある種子を拾い集め、果皮を砕いて堅牢の黒い種子を集約し１０８個を連結した器具を製作し高齢者施設等で開催している心身機能活性化活動に参加している心身症や老人性認知症患者の皆さんに提供するものである。【００１１】将来的にはＩＴ機材とのコラボレーションも可能になる。
【考案の効果】
【００１２】本考案の天然素材の無患子（むくろじ）種子による器具を心身症や老人性認知症患者や多様な高齢者が身近に置いて個人あるいはお仲間同士が連携しながら愛用することにより、「非薬物的療法」の効果として自助・共助・公助を通じた高齢者の地域コミュニケーションづくり・絆づくりを推進しながら一人一人の心身機能の維持・向上に寄与する。
【図面の簡単な説明】
【００１３】
【図１】本考案を実施するための無患子（むくろじ）器具（ストレート型）の側面図である。
【図２】本考案の無患子（むくろじ）器具（アーチ型）の側面断面図である。
【考案を実施するための形態】
【００１４】無患子の堅牢な黒い種子を特製の万力で固定し一文字ラインを起点にドリルで穴を貫通させる。貫通させた無患子種子１０８個を２ｍｍの太さの針金（鋼製又はステンレス製）に通し、ストレート型或いはアーチ型に両端を支持台に固定する。
【００１５】以下、添付図面に従って無患子種子器材の製作実施例を説明する。
【００１６】１、２、３は木板、２は木製の柱状材、１，２，３を釘で固定後、４の接合金具で支持台全体を固定する。５は鋼線又はステンレス線、６は無患子の種子で一文字ラインを軸に電気ドリルで穴を貫通させ、１０８個を鋼線に貫き通し、支持台に固定することによりカウンター器具は完成する。
【００１７】本考案の器材を使った実施例を説明する。
【００１８】腰掛テーブル上に無患子（むくろじ）カウンター器具をセットし、老人性認知症患者を含め、ひょうたんに無患子（むくろじ）種子を入れたマラカスを片手に持ちリズムを取りながら一方の手指を使って鋼線又はステンレス線に連結されている１０８個の無患子（むくろじ）の黒い種子を反対側に異動させる。１０８個は１０８の煩悩を暗示、堅牢な無患子（むくろじ）の黒い種子は数珠の原点を示唆し、無患子（むくろじ）の種子に触れることで心癒せるひとときがある。
【符号の説明】
【００１９】１  木板
２  木製の柱状材
３  木板
４  接合金具
５  鋼線又はステンレス
６  無患子の種子
７  貫通孔（３ｍｍ径）
８  無患子
【図１】
0003221967.tif 000003
【図２】
0003221967.tif 000004
【手続補正書】
【提出日】平成31年4月3日(2019.4.3)
【手続補正１】
【補正対象書類名】実用新案登録請求の範囲
【補正対象項目名】全文
【補正方法】変更
【補正の内容】
【実用新案登録請求の範囲】
【請求項１】
太さ１〜２ｍ／ｍの鋼線もしくはステンレス線を、貫通孔２．５〜３ｍ／ｍの無患子（むくろじ）の実に通し、両端を支持台に固定させた携帯可能な無患子（むくろじ）カウンター
(57)【要約】      （修正有）【課題】板状の立て看板を柱状の物に取付けるための止め具を提供する。【解決手段】板状の立て看板を柱状の物に取付けるための止め具１であって一枚のプレートから構成され、前記プレートの立て看板に取り付けられる一辺は、丁番６を設けて曲げ可能に構成されており、前記プレートの前記の柱状の物に取付ける側の一辺にはＶ字形の切りかき２が形成されている。【選択図】図１
0003221966.tif 000002
【実用新案登録請求の範囲】
【請求項１】
板状の立て看板を柱状の物に取付けるための止め具であって一枚のプレートから構成され立て看板に取付けられる。
一辺は曲げ可能な構造を有し前記の柱状の物に取付ける側の一辺にはＶ字形の切りかきが形成されていることを特徴とする立て看板止め具。
【考案の詳細な説明】
【技術分野】
【０００１】この考案は簡易立て看板が丸いポール等に確実に固定できる。
【背景技術】
【０００２】従来看板を固定するには紐又は針金で止めている。
丸いポールにはなじみにくくゆがんだり緩んでしまうことがある。
【考案の概要】
【考案が解決しようとする課題】
【０００３】丸いポールの大小で固定の方法が異なる上きちっと固定出来ない。【０００４】同ポールに正確に固定するのは難しい。
【課題を解決するための手段】
【０００５】  上記課題は板状の立て看板を柱状の物に取付けるための止め具であって一枚のプレートから構成され立て看板に取付けられる。
一辺は曲げ可能な構造を有し前記の柱状の物に取付ける側の一辺にはＶ字形の切りかきが構成されていることを特徴とする立て看板止め具によって解決される。
この考案では立て看板の骨格に同止め具を取付すればポールの大小にかかわらず確実に固定できる。
【考案の効果】
【０００６】  電柱等の丸いポールに正確確実に固定できる上ポールのサイズも選ばない。
【図面の簡単な説明】
【０００７】
【図１】本考案の立て看板止め具斜図  立て看板止め具は一枚のプレートに穴及びＶ字の形の切りかきなおかつ曲げられる構造を特徴とする立て看板止め具。
【図２】本考案の立て看板の取付について説明するための側面図  （Ａ）は立て看板にセットアップする説明図  （Ｂ）は立て看板に前もって取付する図  （Ｃ）は現場で取付する図  立て看板に前もって取付しておけることにより現場での取付が簡単になる。
【図３】立て看板の構造を示す図
【考案を説明するための形態】
【０００８】  本考案の立て看板止め具は一枚のプレートの一辺が折り曲げ可能になっておりそれが立て看板側に固定される。
他の辺はＶ字形の切りかきが設けられておりそれが電柱など柱状の物に固定される。
【０００９】  図２（Ａ）をもちえて本考案の止め具を立て看板にセットアップする状態を説明する。立て看板８は図３に示すように骨格９を備えている。
プレート１は針穴４又はビス穴５をもちえて釘又はビス１２で立て看板の骨格９に固定される。
さらにビス７をもちえてビス１３で骨格にプレートを仮止めする。
このように止め具を立て看板にセットアップした状態で運搬を行う。
立て看板を運搬した後で図２（Ｂ）に示すようにビス１３を骨格１０から取り外し図１で示した点線６でプレート１を折り曲げる。電柱等のポール１１に取付する場合には図２（Ｃ）で示すように切りかき２の部分を使ってポール１１に対して取付具を固定する。ポール１１サイズ適合した穴３を使って紐や針金等でポール１１を固定する。
【実施例】
【００１０】  以下図１により本考案の立て看板止め具の構造を説明する。
立て看板止め具１は例えばアルミニウム、プラスチック、鉄等の素材からなる１枚のプレートである。
このプレートは柱等の面で接するように一定の厚さｔにする。
プレート一辺側にはＶ字形切りかき２が設けられている。
切りかき２にそって紐又は針金等を通す大きめの面取りした穴３を複数設けてある。
プレートの立て看板側には釘穴４及びビス止め穴５を設けてある。
これによってプレートを立て看板に固定する。
プレートを点線にそって曲げられるようにスリット６を設けてあるスリットに変えて点線にそって丁番を設けて曲げる構造としてもよい。
立て看板の骨格１０にプレートを固定するためのビス穴７もうけられている。
プレートが薄い素材の場合はＶ字形の切りかき部分を折り曲げて面で柱に接するようにする。
【符号の説明】
【００１１】１  立て看板止め具
２  切りかき
３  紐又は針金等を通す大きめの面取りした穴（左、右数カ所）
４  釘穴（数カ所）
５  ビス止め穴（数カ所）
６  丁番又は曲げられる構造
７  ビス仮止め穴
８  立て看板
９  立て看板の骨格
１０  立て看板の骨格
１１  電柱等のポール
１２  釘又はビスで止める
【図１】
0003221966.tif 000003
【図２】
0003221966.tif 000004
【図３】
0003221966.tif 000005
【手続補正書】
【提出日】平成31年4月1日(2019.4.1)
【手続補正１】
【補正対象書類名】実用新案登録請求の範囲
【補正対象項目名】全文
【補正方法】変更
【補正の内容】
【実用新案登録請求の範囲】
【請求項１】
板状の立て看板を柱状の物に取付けるための止め具であって一枚のプレートから構成され、前記プレートの立て看板に取り付けられる一辺は、丁番を設けて曲げ可能に構成されており、前記プレートの前記の柱状の物に取付ける側の一辺にはＶ字形の切りかきが形成されていることを特徴とする立て看板止め具。
(57)【要約】      （修正有）【課題】左右の手のひら及び手の甲を同時に長時間温める携帯カイロ収納ポケット付きハンドウォーマーを提供する。【解決手段】ハンドウォーマー本体の麻製外袋１とウール製内袋２を縫い合わせる二重構造を作りその隙間に携帯カイロを収納できるポケット３ａ〜３ｄを四つ設け最大四つの携帯カイロを収納ができ、携帯カイロを上下左右それぞれに入れることにより、カイロが発する熱によりハンドウォーマー本体に手を入れると、左右の手のひら及び手の甲を一度に温められ手全体を効率よく温められることができる。また外袋１と内袋２の開け口にスナップボタン４ａをはめることによりカイロの落下防止になる。【選択図】図１
0003221961.tif 000002
【実用新案登録請求の範囲】
【請求項１】
ハンドウォーマー本体を麻製外袋とウール製内袋の二重構造にし、一部分
を縫い付けることによって４つのポケットを作り、そのポケットに携帯カ
イロを収納しできる。また開け口にスナップボタンを設けることによりカ
イロは落下を防ぐ事ができる。ハンドウォーマー本体内に最大４つの携帯
カイロを収納することによって効率よくハンドウォーマー内にカイロの熱
を伝導し、左右の手のひら及び手の甲を温められるのを特徴とする携帯カ
イロ収納ポケット付きハンドウォーマー。
【考案の詳細な説明】
【技術分野】
【０００１】
本考察はハンドウォーマーに携帯カイロを収納できるポケットを設けた
ものである。
【背景技術】
【０００２】
手が冷えた時、手袋をして手の温度を熱を放射させないようにしたり携
帯カイロを手の中に所持し、カイロの発する熱を手に伝導させ手の温度
を上げるなどをしていた。
【考案の概要】
【考案が解決しようとする課題】
【０００３】
手袋だけで手の温度をあげようとしても体温以上に温めることは難しい
。また携帯カイロを利用する事によりカイロの発する熱で手を温めてい
る方は多い。しかし携帯カイロを持つだけでは手のひらもしくは手の甲
どちらか一方向しか温められず、カイロ自体も外気にさらされて熱効率
も低くなってしまう。本製品はハンドウォーマー本体に携帯カイロを収
納できるポケットを設け効率よく手に熱を伝え、なおかつ長時間温めら
れるようにした物である。
【課題を解決するための手段】
【０００４】
本考察はハンドウォーマー本体を二重構造にし、それぞれ三方向を縫い
付けることによって携帯カイロを収納できるポケットを４つ設けた。ま
たもう一方をスナップボタンを取り付けることにより収納口の開閉が自
在となり携帯カイロを入れられるように出来き、スナップボタンを閉じ
ることによりカイロの落下防止になる。４つのポケットそれぞれに携帯
カイロを入れることによりカイロから発する熱がハンドウォーマー全体
に伝わり、本体内に手を入れると左右の手のひら、及び手の甲を同時に
温められることができるようになった。またハンドウォーマー本体を二
重構造にすることにより携帯カイロは外気に触れにくくなり、保温性を
高めた。これにより手袋で携帯カイロを持つよりも長時間保温されるよ
うになる。
【考案の効果】
【０００５】
上述のように本考察の携帯カイロ収納ポケット付きハンドウォーマーを
使用することにより携帯カイロを４つ使用時には、気温２３度において
本体内の温度は５分後に３５．４度になり１時間後には４９．３度まで
上がる。これにより左右の手のひら及び甲を同時に効率よく温められる
事ができるようになった。また１２時間後でも内部の温度は４１．８度
に保温されており長時間手を暖められることができる物である。
【図面の簡単な説明】
【０００６】
【図１】本考案の携帯カイロ収納ポケット付きハンドウォーマーの正面図        である。
【図２】本ハンドウォーマーの横断面図である。
【考案を実施するための形態】
【０００７】
以下、添付図面に従って一実施例を説明する。１は麻で作られた外袋で
ある。その内部にウールで作られた内袋２を入れ二重構造にする。外袋
１と内袋２を三方向縫い合わせ、一部分を縫わないことにより外袋と内
袋の間に空洞を四つ作る。この四つの部分が携帯カイロを収納できるポ
ケット３になる。ポケット３に携帯カイロを入れることによりカイロか
ら発せられる熱が内袋２を温め、ウール製により保温性が高くなる。
そして外袋１により携帯カイロは直に外気に触れる部分が小さくなる
ため、カイロから発せられる熱を外部に逃がしにくくなる。
【０００８】
内袋２の内部は外袋１と縫い合わせる際、一部分を縫わないことにより
左右の手を入れられる部分ができる。ポケット３は二重構造である外袋
１と内袋２の隙間にあり、そのポケット３は右手の甲及び右手のひら、
左手の甲及び左手のひらの部分にそれぞれ一つずつ合計四つあるため、
四つのポケットそれぞれに携帯カイロを入れると、カイロから発せら
れる熱が内袋２から伝わり、右手の甲及び右手のひら、左手の甲及び左
手のひらそれぞれに熱が伝わる。
【０００９】
ポケット３に携帯カイロを入れるための、外袋１と内袋２の間の開け口
にスナップボタン４を取り付け、カイロを入れる時はスナップボタン４
を開放し、カイロを挿入後スナップボタン４を閉じることによりポケッ
ト３に入れられた携帯カイロの落下防止になる。またハンガーループ５
により未使用時はハンガーに引っ掛けられる。
【符号の説明】
【００１０】
１  麻製外袋
２  ウール製内袋
３  カイロ収納ポケット
４  スナップボタン
５  ハンガーループ
【図１】
0003221961.tif 000003
【図２】
0003221961.tif 000004
【手続補正書】
【提出日】平成31年1月12日(2019.1.12)
【手続補正１】
【補正対象書類名】図面
【補正対象項目名】全図
【補正方法】変更
【補正の内容】
【図１】
0003221961.tif 000005
【図２】
0003221961.tif 000006
【手続補正書】
【提出日】平成31年4月17日(2019.4.17)
【手続補正１】
【補正対象書類名】実用新案登録請求の範囲
【補正対象項目名】全文
【補正方法】変更
【補正の内容】
【実用新案登録請求の範囲】
【請求項１】
ハンドウォーマー本体を内袋と外袋の二重構造にし、一部分を縫い付
けることによって４つのポケットを作り、本体内に最大４つの携帯カイ
ロを収納することによってハンドウォーマー本体にカイロの熱が伝導さ
れ、左右の手のひら及び手の甲を効率よく温めることができる携帯カ
イロ収納ポケット付きハンドウォーマー
(57)【要約】      （修正有）【課題】下駄や草履につける鼻緒をシューズにつけた鼻緒付シューズを提供する。【解決手段】本考案の鼻緒付シューズは、シューズ本体１の甲部、踵部左右二箇所に鼻緒２を通すためのループが縫い付けられ、鼻緒２の両端部には、スナップボタン４が付けられ、この鼻緒２がシューズ１の三つのループに通され、踵部左右二箇所でスナップボタン４を留めたり外したりできる。【選択図】図１
0003221999.tif 000002
【実用新案登録請求の範囲】
【請求項１】
シューズ本体（１）の甲部、踵部左右二箇所に鼻緒（２）を通すためのループ（３）が縫い付けられ、鼻緒（２）の両端部には、スナップボタン（４）が付けられ、この鼻緒（２）がシューズ本体（１）の三つのループ（３）に通され、踵部左右二箇所でスナップボタン（４）を留めたり外したりすることで鼻緒（２）を交換可能にすることができる鼻緒付シューズ。
【考案の詳細な説明】
【技術分野】
【０００１】  本考案は、下駄や草履につける鼻緒をシューズにつけた、鼻緒付シューズに関する物である。
【背景技術】
【０００２】  従来、シューズの甲部と踵部に鼻緒が固定してつけられていた（特許文献１参照）。
【先行技術文献】
【特許文献】
【０００３】
【特許文献１】特開２０１８−１９６７１１号公報
【考案の概要】
【考案が解決しようとする課題】
【０００４】  従来の鼻緒付シューズは、次のような欠点があった。従来の鼻緒付シューズの鼻緒とシューズは、完全に固定されており、鼻緒だけを取り換えることができなかった。顧客は付けてある鼻緒の取り換えができないことで多くの種類の鼻緒付シューズを買う必要がある。そして鼻緒は水に弱いため、シューズが汚れた際に洗濯も不便である。また取り換えれることができれば、何足もシューズを購入しなくても鼻緒だけを取り換えることで、新鮮な気持ちになれることが想定される。
【課題を解決するための手段】
【０００５】  シューズ本体の甲部、踵部左右二箇所に鼻緒を通すためのループを縫い付ける。
鼻緒の両端部には、スナップボタンが付けてある。この鼻緒をシューズの三つのループに通し、踵部左右二箇所でスナップボタンを留めたり外したりすることで鼻緒を交換可能にすることができる。
【考案効果】
【０００６】  シューズがよごれた際にも鼻緒を取り外して洗濯が可能になる。鼻緒を取り換えることで着せ替えのように、複数のシューズを購入せずともＴＰＯに合わせて印象を変化させることができる。
【図面の簡単な説明】
【０００７】
【図１】本考案の鼻緒付シューズの鼻緒を取り付けた状態を示す図。
【図２】鼻緒付シューズの鼻緒を取り外した状態を示す図。
【図３】鼻緒付シューズの鼻緒を取り付けた状態を上から見た図。
【図４】鼻緒付シューズの鼻緒を取り外した状態を上から見た図。
【図５】スナップボタン付の鼻緒を示す図。
【図６】鼻緒に取り付けたスナップボタンの拡大図（表）。
【図７】鼻緒に取り付けたスナップボタンの拡大図（裏）。
【考案を実施するための形態】
【０００８】  以下、添付図面に従って実施の形態を説明する。１はシューズ本体、２は鼻緒、３は鼻緒を通すためのループ、４はループ３に鼻緒２をつけるためのスナップボタンである。シューズ本体１の甲部、踵部左右二箇所に鼻緒２を通すためのループ３が縫い付けてある。鼻緒２の両端にはスナップボタン４が取り付けてある。シューズ本体１の３つのループ３に鼻緒２を通して、踵部左右二箇所のループ３にスナップボタン４で固定されている。鼻緒２の交換は、スナップボタン４を留めたり外したりすることで可能になる。鼻緒２は、ちりめん素材の布や、エナメル素材の布などで作られている。ループ３は、布で作られている。
【符号の説明】
【０００９】１シューズ本体
２鼻緒
３ループ
４スナップボタン
【図１】
0003221999.tif 000003
【図２】
0003221999.tif 000004
【図３】
0003221999.tif 000005
【図４】
0003221999.tif 000006
【図５】
0003221999.tif 000007
【図６】
0003221999.tif 000008
【図７】
0003221999.tif 000009
(57)【要約】      （修正有）【課題】体のバランス感覚やインナーマッスル、体幹を鍛えることができ、使用者の要望に応じた揺れの具合に調整することが可能なトレーニング器具を提供する。【解決手段】トレーニング器具１は、使用者が上面１１に乗る板部１０と板部１１の下面１２に設けられ、板部１０と直交する方向に延びる板状体である複数の支持部２０と、を備え、複数の支持部２０は板部１０と反対側の端面２１が板部１０の略中心を頂点として、板部１０に向かって傾斜しており、板部１０下面１２から複数の支持部２０の端面２１の頂点までの高さは、板部１０の略中心に配置された支持部２０が最も長く、板部１０の端部に配置された支持部２０ほど低くなっている。下面１２の支持部２０、中央支持部３０を交換することで、揺れの具合を調整できる。【選択図】図３
0003221992.tif 000002
【実用新案登録請求の範囲】
【請求項１】
使用者が上面に乗る板部と、板部の下面に設けられ、板部と直交する方向に延びる板状体である複数の支持部と、を備え、複数の支持部は板部と反対側の端面が板部の略中心を頂点として、板部に向かって傾斜しており、板部下面から複数の支持部の端面の頂点までの高さは、板部の略中心に配置された支持部が最も長く、板部の端部に配置された支持部ほど低くなっているトレーニング器具。
【考案の詳細な説明】
【技術分野】
【０００１】
本考案は、使用者が乗ることができるトレーニング器具に関するものである。
【背景技術】
【０００２】
このような器具は板に体をのせることで、体のバランス感覚やインナーマッスル、体幹を鍛える器具である。
板の上に乗るだけで底部の曲面による不安定さを感じられ、体全体が鍛えられる。
【考案の概要】
【考案が解決しようとする課題】
【０００３】
しかしながら、従来の器具は、底部が一体的に形成されていているため、部分的に底部の曲面を変えることができず、使用者の要望に応じた形に調整することが難しかった。
【課題を解決するための手段】
【０００４】
使用者が上面に乗る板部と、板部の下面に設けられ、板部と直交する方向に延びる板状体である複数の支持部と、を備え、複数の支持部は板部と反対側の端面が板部の略中心を頂点として、板部に向かって傾斜しており、板部下面から複数の支持部の端面の頂点までの高さは、板部の略中心に配置された支持部が最も長く、板部の端部に配置された支持部ほど低くなっているトレーニング器具。
【考案の効果】
【０００５】
使用者の要望に応じた形に調整することが可能なトレーニング器具を提供することができる。
【図面の簡単な説明】
【０００６】
【図１】本考案の実施形態に係るトレーニング器具の上面図である。
【図２】本考案の実施形態に係るトレーニング器具の下面図である。
【図３】本考案の実施形態に係るトレーニング器具の側面図である。
【図４】本考案の実施形態に係るトレーニング器具の正面図である。
【考案を実施するための形態】
【０００７】
トレーニング器具1は、使用者が上面11に乗る板部10と板部11の下面12に設けられ、板部10と直交する方向に延びる板状体である複数の支持部20と、を備え、複数の支持部20は板部10と反対側の端面21が板部10の略中心を頂点として、板部10に向かって傾斜しており、板部10下面12から複数の支持部20の端面21の頂点までの高さは、板部10の略中心に配置された支持部20が最も長く、板部10の端部に配置された支持部20ほど低くなっている。
【０００８】
このトレーニング器具1の上面11に体をのせることで、体のバランス感覚やインナーマッスル、体幹を鍛えることができる。
器具の上面11に乗るだけで下面12の支持部20による不安定さを感じられ、体全体が鍛えられる。
ただ乗るだけではなく、乗りながら運動をすることにより、より体を刺激し、効果を体感できる。
板の形状は、人が安定して乗ることができる平面の板部10に三日月型で不揃いの複数の支持部20で支える構造になっている。上面11に乗り、体の重心を左右、前後に移すと、トレーニング器具1が同調して動く。女性でも使いやすいように、一部軽量化している。
オプションで、アロマの容器やディフェイザーを上面11に埋め込むことができ、リラックス効果を高める。上面11に専用のマットを取り付ければ、体重計や脈拍、体脂肪率、筋肉量の計測が可能であり、また温度調節により、発汗を促すことや冷気を感じることができる。
下面12の支持部20、中央支持部30を交換することで、揺れの具合を大きくしたり小さくしたりと調整でき、初心者から上級者までが、無理なく、飽きずに続けられる。
【符号の説明】
【０００９】
1  トレーニング器具
10 板部
11 上面
12 下面
20 支持部
21 端面
30 中央支持部
【図１】
0003221992.tif 000003
【図２】
0003221992.tif 000004
【図３】
0003221992.tif 000005
【図４】
0003221992.tif 000006